(57)【特許請求の範囲】
【請求項１】
幅方向に配置された丸パイプと、その丸パイプに支持された物品搬送用の滑動桟とを有する収納棚等の滑動桟の取付金具であって、滑動桟の端部を嵌合固定させる桟支持部と丸パイプに引っ掛けるためのフック片とからなり、フック片は滑動桟の延設方向と反対側に丸パイプの外側面に沿って弧状に突出され、丸パイプを軸として回動可能となされ、一対の取付金具それぞれの桟支持部の桟端部当接壁面におけるフック片の突出部分以外に開口部が設けられ、それら一対の取付金具を収納棚等の丸パイプを挟んだ互いに反対側から引っ掛けて取り付けた際に、それら一対の取付金具のフック片の各々先端部分が互いの取付金具の開口部に入り込むようになされたことを特徴とする滑動桟の取付金具。
【請求項２】
フック片が滑動桟の延設される中心線に対して非対称に突出された同一の取付金具が用いられることを特徴とする請求項１記載の滑動桟の取付金具。
【発明の詳細な説明】
【０００１】
【発明の属する技術分野】
本発明は、一定間隔に設けられたローラーレール用軸受部にローラーを回転自在に取り付け、そのローラーの回転外周面の一部をローラーレール上部から露出させて物品を支持しながら搬送させるローラー式の滑動桟、あるいは管体等棒状フレームの側面に付設された滑り材上部を滑らせて物品を支持しながら搬送させるスリップ式の滑動桟を在庫・陳列棚等に架設するための取付金具に関する。
【０００２】
【従来の技術】
従来、部品保管棚や在庫・陳列棚等においてローラー式の滑動桟やスリップ式の滑動桟を用いて物品（部品や陳列商品）の支持・搬送を行う形態の物品搬送用滑動桟は、後列の物品を支持する滑動桟に緩やかな傾斜をもたせて前列の物品が取り出された際に物品が滑動によって徐々に前列へと搬送されるようになされ、前列においては物品の中身の確認がし易いことや取り出しを容易とするため設置される傾斜角度をもう少し増して滑動桟の設置がなされ、滑動桟の設置角度が変わる部分は滑動桟の取付金具が棚等のフレームに引っ掛けられて架設がなされ、滑動桟を一直線上に配置しかつ角度の変わる部分において被運搬物の滑走状態や支持状態に不調又は不安定を生ずるのを解消するものとして実用新案公告平２−４９２１９号において、中央部にコンベアフレームへ上方からはめて掛止める下向きに開口された溝形部を有し、該溝形部の両隣りにコンベアの滑走体保持部を設けたコンベアの滑走枠体受具が提案され、同提案では該受具をはさんで両側のコンベアの滑走枠体の成す角度に合わせて滑走枠体受具を屈曲させて所望の勾配角度に設定がなされている。
【０００３】
【発明が解決しようとする課題】
しかしながら、かかる実告平２−４９２１９号記載の滑走枠体受具の場合は、溝形部の幅寸法がコンベアフレームの外径寸法に対し、予想される最大勾配角度に合わせた大きめの寸法に製作されていなければならないため、勾配角度の変化が緩い場合に同受具の溝形部とコンベアフレームとの間に隙間が生じてガタつき、あるいは所定の勾配角度の変化以上に屈曲させて設置した場合に同受具部分がコンベアフレームより浮き上がってしまうという不都合がある。また、同上公報記載の滑走枠体受具は、受具をはさんで両側のコンベアの滑走枠体が接続される「中用」受具専用部品であるために滑走枠体の端部には別途「端用」が準備されなければならないために部品の種類の点数が増えるという問題もあった。
【０００４】
【課題を解決するための手段】
そこで、上記の従来の問題点を解消するために、本発明滑動桟の取付金具は、幅方向に配置された丸パイプと、その丸パイプに支持された物品搬送用の滑動桟とを有する収納棚等の滑動桟の取付金具であって、滑動桟の端部を嵌合固定させる桟支持部と丸パイプに引っ掛けるためのフック片とからなり、フック片は滑動桟の延設方向と反対側に丸パイプの外側面に沿って弧状に突出され、丸パイプを軸として回動可能となされ、一対の取付金具それぞれの桟支持部の桟端部当接壁面におけるフック片の突出部分以外に開口部が設けられ、それら一対の取付金具を収納棚等の丸パイプを挟んだ互いに反対側から引っ掛けて取り付けた際に、それら一対の取付金具のフック片の各々先端部分が互いの取付金具の開口部に入り込むようになされたものである。
【０００５】
また本発明滑動桟の取付金具は、フック片が滑動桟の延設される中心線に対して非対称に突出された同一の取付金具が用いられるものである。
【０００６】
【発明の実施の形態】
以下、図面を参照しながら本発明滑動桟の取付金具について詳述する。図１は、本発明に係る取付金具を適用した物品収納棚の実施形態例の斜視図、図２はその部分拡大斜視図であり、図３は本発明滑動桟の取付金具の実施形態例２例の斜視図、図４，５はそれぞれその作動を説明するための側面図である。
【０００７】
図面中、１は取付金具、１２はその桟支持部で１３はフック片、２は滑動桟、３は丸パイプ、４は継手である。ここにおいて、丸パイプ３としては鋼管や鋼管に合成樹脂仕上げ層が被覆されたものが多用されるが、合成樹脂単一素材その他木材製，無機材料等他の素材のものであってもよく、継手４としては合成樹脂によるインジェクション成型品や亜鉛，アルミ等のダイキャスト成型品の他、鋼板製プレス成形品や鋳鉄製のもの等が用いられる。
【０００８】
図１は物品収納棚であって、種々の長さの丸パイプ３を各種の継手４によって接続されて組み立てられたものであり、滑動桟２の両端部には取付金具１が嵌合固定され、その取付金具１がそれぞれ幅方向に配置された丸パイプ３１〜３３に引っ掛けられて物品搬送用の滑動桟２が架設される。図１中の、丸パイプ３２は丸パイプ３１より若干低い高さに、また丸パイプ３３は丸パイプ３２よりさらに若干低い高さにそれぞれが位置していて、この高さ位置の違いによって緩く傾斜した滑動桟２上を物品が滑動して搬送されてゆくようになされている。
【０００９】
図１の実施形態の例において、滑動桟２としては後述する図２中に表した如く一定間隔に設けられたローラーレール用軸受部２２にローラー２１を回転自在に取り付け、そのローラー２１の回転外周面の一部をローラーレール２０上部から露出させて物品を支持しながら搬送させるローラー式の滑動桟２を架設させたものである。なお、ローラーレール２０としては金属板によるロールフォーミング成形による型材やアルミニウムの押出成形による型材が、ローラー２１としてはポリアセタールやナイロンをはじめとした様々な合成樹脂製のインジェクション成型品や金属製のダイキャスト品、あるいはセラミック系材料により製作されたもの等が好適に用いられる。また、図示しないがローラー式の滑動桟２の代わりに管体等棒状フレーム側面に付設された滑り材上部を滑らせて物品を支持しながら搬送させるスリップ式の滑動桟が用いられる場合においても、本発明滑動桟の取付金具はまったく同様に適用されるものである。
【００１０】
図１中滑動桟２は、後列の物品（部品や陳列商品）を支持する滑動桟２に緩やかな傾斜をもたせて前列の物品が取り出された際に物品が滑動によって徐々に前列へと搬送されるようになされ、前列においては物品の中身の確認がし易いことや取り出しを容易とするために設置角度をもう少し傾斜角度を増して滑動桟２の設置がなされており、図中のＡ部において滑動桟２を一直線上に配置しつつかつ角度の変化する部分、および図中Ｂ部の如く滑動桟２の端部となる部分において本発明に係る取付金具１が用いられ、その丸パイプ３に引っ掛けられた各状態を図２の（ａ），（ｂ）にそれぞれ示した。なお、図１の３４は最前列まで搬送されてきた物品等が脱落しないように、ストッパー機能として設けられた丸パイプである。
【００１１】
取付金具１は、図３に示すように滑動桟２の端部が嵌合されて固定される桟支持部１２と、丸パイプ３に引っ掛けるためのフック片１３とからなり、フック片１３は滑動桟２の延設方向と反対側に丸パイプの外側面に沿って弧状に突出されて丸パイプ３を軸として回動可能に引っ掛けられる。フック片３は、それぞれを互いに噛み合わせて収納棚等の丸パイプ３を挟んで反対側から引っ掛け、取付金具１の桟支持部１２に支持されて延設される滑動桟２が一直線状に支持される。図４は、丸パイプ３への取付状態を表したものであり、弧状に突出されたフック片１３が丸パイプ３の外側面に沿っているために取付金具１と丸パイプ３との間に隙間がなくてガタつくことなく、滑動桟２をしっかりと架設出来て好ましい。また、滑動桟２の端部毎に確実に丸パイプ３に引っ掛けられることから、図１中Ａ部のように滑動桟２を一直線に配置しかつ角度の変化する部分においても取付金具１の部分が浮き上がるようなことはなく、被運搬物の滑動状態や支持状態に不調又は不安定を生ずることがなく好ましい。
【００１２】
取付金具としては、図３の（ａ），（ｂ）に表す形態のもの等が適用されるが、（ａ）の場合にはフック片１３が滑動桟２の延設される中心線に対して非対称に突出されており、図２に表すように同一種類の取付金具１が用いられながらも（ａ）：角度の変わる滑動桟２の接続部用と、同図（ｂ）：滑動桟２の端部用とに共用出来、部品の種類が一種類と少なくてすむことから部品コストや部品管理コストの点から好ましい。
【００１３】
なお、本実施形態例においては図４に示す如く、互いの滑動桟２が１８０°に一列となる状態（右側取付金具１の破線で示す状態）から最大４５°マイナスの状態（一点鎖線で示す状態）まで角度可変となされている。
【００１４】
また、図３（ａ），（ｂ）に表した実施形態例では、一対の取付金具１−１，取付金具１０−１１のそれぞれ対をなす取付金具の桟支持部１２の桟端部当接壁面１４におけるフック片１３の突出部分以外にそれぞれ開口部１５が設けられ、それら一対の取付金具を収納棚等の丸パイプ３を挟んだ互いに反対側から引っ掛けて取り付けた際に、それら一対の取付金具のそれぞれのフック片３の各々先端部分が図５に表すように互いの取付金具の開口部１５に入り込むようになされ、それによって各取付金具１−１（１０−１１）の桟支持部１２と丸パイプ３との間にまったく隙間が生じず、したがってよりガタツキなく滑動桟２，２が延設されるため、被運搬物の滑動状態や支持状態が搬送角度の変化する部分においても不調又は不安定を生ずるような心配がなくきわめて好ましい。
【００１５】
【発明の効果】
以上詳述した如く、本発明滑動桟の取付金具は、幅方向に配置された丸パイプと、その丸パイプに支持された物品搬送用の滑動桟とを有する収納棚等の滑動桟の取付金具を、滑動桟の端部を嵌合固定させる桟支持部と丸パイプに引っ掛けるためのフック片とから構成し、フック片を滑動桟の延設方向と反対側に丸パイプの外側面に沿って弧状に突出させて丸パイプを軸として回動可能となされたもので、弧状に突出されたフック片が丸パイプの外側面に沿って引っ掛けられるため取付金具と丸パイプの間には隙間がなくてガタつかず、滑動桟をしっかりと架設出来て好ましい。
【００１６】
また、本発明滑動桟の取付金具は、上記フック片それぞれを互いに噛み合わせて収納棚等の丸パイプを挟んで反対側から引っ掛けられ、取付金具の桟支持部に支持されて延設される滑動桟が一直線状に配置されるもので、滑動桟の端部毎に確実に丸パイプに引っ掛けられることから、滑動桟を一直線上に配置しつつかつ角度の変化する部分においても、取付金具の部分が浮き上がってしまい被運搬物の滑動状態や支持状態に不調又は不安定を生ずるようなことがなく好ましい。
【００１７】
さらに、本発明滑動桟の取付金具は、上記一対の取付金具それぞれの桟支持部の桟端部当接壁面の、各フック片の突出部分以外にそれぞれ開口部が設けられ、それら一対の取付金具が収納棚等の丸パイプを挟んで反対側から引っ掛けて取り付けた際、それら一対の取付金具のフック片の各々先端部分が互いの取付金具の開口部に入り込むようになされた場合には、各取付金具の桟支持部と丸パイプとの間に隙間が全くできないことでガタつくことなしに滑動桟が延設されるため、被運搬物の滑動状態や支持状態が搬送角度の変化する部分においても全く不調又は不安定を生ずるような心配がなくきわめて好ましい。
【００１８】
そして、本発明滑動桟の取付金具は、上記フック片が滑動桟の延設される中心線に対して非対称に突出された同一の取付金具が用いられてなる場合には、角度の変わる滑動桟の接続部と滑動桟の端部とに共用出来ることから、部品の種類が一種類と少なくてすみ部品コストや部品管理コストの点から好ましい。
【図面の簡単な説明】
【図１】  本発明に係る取付金具を適用した物品収納棚の実施形態例の斜視図である。
【図２】  図１の部分Ａ，Ｂを表す部分拡大斜視図（ａ），（ｂ）である。
【図３】  本発明滑動桟の取付金具類の斜視図であって、（ａ）はその一実施形態の例、（ｂ）−１，２は他の一実施形態の例である。
【図４】  本発明滑動桟の取付金具を用いた際の、作動を説明するための側面図である。
【図５】  本発明滑動桟の取付金具を用いた際の、作動を説明するための側面図である。
【符号の説明】
１          取付金具
１０，１１    同
１２        桟支持部
１３        フック片
１４        桟端部当接壁面
１５        開口部
２          滑動桟
２０        ローラーレール
２１        ローラー
２２        軸受部
３          丸パイプ
３１〜３４    同
４          継  手
【図１】
0003914371.tif 000002
【図２】
0003914371.tif 000003
【図３】
0003914371.tif 000004
【図４】
0003914371.tif 000005
【図５】
0003914371.tif 000006